(57)【要約】【課題】  分岐側光ケーブルを分岐接続箱の上下いずれの方向にも出力することが容易な分岐接続箱を提供する。【解決手段】  幹線側光ファイバケーブル２の長手方向の中間部分から引き出された光ファイバ２ａを切断して複数本の分岐側光ファイバケーブル３に分岐接続する分岐接続箱１であって、幹線側光ファイバケーブル２が固定される幹線光ケーブル固定部１１及び分岐側光ファイバケーブル３が固定される分岐光ケーブル固定部１２が、いずれも平板状のベース１０の互いに対向する両側の縁部１０ａ，１０ｂのそれぞれに設けられており、両光ファイバケーブル２，３の先端に露出された光ファイバ２ａ，３ａ同士の光接続部を収納する光接続部収納トレー１３が前記分岐光ケーブル固定部１２，１２同士の中間に配設された分岐接続箱１を用いる。【選択図】  図１
2005312125.tif 000002
【特許請求の範囲】
【請求項１】
幹線側光ファイバケーブル（２）の長手方向の中間部分から引き出された光ファイバを切断して複数本の分岐側光ファイバケーブル（３）に分岐接続する分岐接続箱であって、
幹線側光ファイバケーブルが固定される幹線光ケーブル固定部（１１）及び分岐側光ファイバケーブルが固定される分岐光ケーブル固定部（１２）が、いずれも平板状のベースの互いに対向する両側の縁部（１０ａ，１０ｂ）のそれぞれに設けられており、
両光ファイバケーブルの先端に露出された光ファイバ（２ａ，３ａ）同士の光接続部を収納する光接続部収納トレー（１３）が前記分岐光ケーブル固定部同士の中間に配設されていることを特徴とする分岐接続箱。
【請求項２】
前記幹線側光ファイバケーブルの中間部分から引き出された光ファイバのうち、切断されることなく分岐接続箱内を通過させられる光ファイバは、前記ベースの縁部の一方に向かって開口した有底箱状の通過光ファイバ収納部（１４）に収納されるようになっていることを特徴とする請求項１に記載の分岐接続箱。
【請求項３】
前記光接続部収納トレーは、ベース上に突設されたトレー支持部（１５）によって支持されており、前記トレー支持部は、前記ベースと前記光接続部収納トレーとの間に前記光ファイバケーブルの光ファイバが案内されて配線される光ファイバ案内部（１５ｂ）を有することを特徴とする請求項１または２に記載の分岐接続箱。
【発明の詳細な説明】
【技術分野】
【０００１】
本発明は、光ファイバケーブルの分岐接続に用いられる分岐接続箱に関する。
【背景技術】
【０００２】
例えばビル等の構内の光配線などにおいて、光回線を幹線側光ファイバケーブル（幹線光ケーブル）から他の光ファイバケーブル（分岐光ケーブル）に分岐するため、幹線光ケーブルの任意の長手方向中間部分で光ファイバ心線を露出させ、壁面等に設置された分岐接続箱に幹線光ケーブル及び分岐光ケーブルを取り付けて固定し、両光ケーブルの先端に露出された光ファイバ同士の光接続部を分岐接続箱内部に設けられたトレーなどの収納部に収納して保護することが広く行われている（例えば特許文献１，２参照）。
【０００３】
図５は、従来の分岐接続箱の一例を示す概略構成図である。同図に概略的に示す分岐接続箱１において、幹線光ケーブル２は、中間部分で光ファイバ２ａ以外の部分（シース、スロット、テンションメンバー等）が切断、除去されており、切断によって除去部分の両側に生じた切断端部が平板状のベース１０の両側の縁部１０ａ，１０ｂに配設された幹線光ケーブル固定部１１に固定されている。
ベース１０両側の幹線光ケーブル固定部１１同士の間には、幹線光ケーブル２の光ファイバ２ａのうち切断されることなく接続箱１内を通過させられるものを収納する通過光ファイバ収納部１４が設けられている。
また、ベース１０の一方の縁部１０ａには、分岐光ケーブル３が固定される分岐光ケーブル固定部１２が配設されている。分岐光ケーブル３の先端部ではシース等が除去されて光ファイバ３ａが露出されている。上記両光ケーブル２，３の光ファイバ２ａ，３ａ同士の光接続部４は、ベース１０の他方の縁部１０ｂの側に配設された接続部収納トレー１３に収納されている。
【特許文献１】特開２００１−５１１３０号公報
【特許文献２】特開平１０−２８２３６０号公報
【発明の開示】
【発明が解決しようとする課題】
【０００４】
ビル等に光配線を行う場合には、幹線光ケーブルを建物の上下方向に布設し、分岐接続箱を回線の分岐が必要な階ごとに設置することが広く行われている。その場合、分岐光ケーブルは、床側や天井側（ラックの上など）に布設すると都合がよい。例えば図５に示すような配置では、分岐光ケーブル３は分岐接続箱１の下方に布設するには好都合であるが、分岐接続箱１の上方に布設する場合には、図６に示すように、分岐接続箱１の天地を反転させて分岐光ケーブル固定部１２をベース１０の下側に向ける必要がある。
【０００５】
しかし、接続部収納トレー１３や通過光ファイバ収納部１４は上下の向きが決まっているため、分岐接続箱１を反転させて設置する場合には接続部収納トレー１３や通過ファイバ収納部１４を正しい向きに付け替える必要がある。このため、作業手順が増え、労力やコストが増大する。
さらに、図５，図６に示すように、両ケーブル固定部１１，１２と接続部収納トレー１３の出入口１３ａ，１３ｂとの距離がトレーの向きによって異なるため、光ケーブル２，３の先端に露出させる光ファイバ２ａ，３ａの長さが異なることになり、長さの調整や確認が面倒であり、作業性が悪くなる。
また、光ファイバ２ａ，３ａの外周にシリコーンエラストマーなどからなる保護チューブ（図示略）を被せる場合には、光ファイバ２ａ，３ａの露出長さに合わせて保護チューブの長さを決める必要があるため、作業性が悪くなる上、作業に先立って用意すべき保護チューブの種類が増大し、コスト増となる。
【０００６】
本発明は、上記事情に鑑みてなされたものであり、分岐側光ケーブルを分岐接続箱の上下いずれの方向にも出力することが容易な分岐接続箱を提供することを課題とする。
【課題を解決するための手段】
【０００７】
前記課題を解決するため、本発明は、幹線側光ファイバケーブルの長手方向の中間部分から引き出された光ファイバを切断して複数本の分岐側光ファイバケーブルに分岐接続する分岐接続箱であって、幹線側光ファイバケーブルが固定される幹線光ケーブル固定部及び分岐側光ファイバケーブルが固定される分岐光ケーブル固定部が、いずれも平板状のベースの互いに対向する両側の縁部のそれぞれに設けられており、両光ファイバケーブルの先端に露出された光ファイバ同士の光接続部を収納する光接続部収納トレーが前記分岐光ケーブル固定部同士の中間に配設されていることを特徴とする分岐接続箱を提供する。
上記分岐接続箱においては、前記幹線側光ファイバケーブルの中間部分から引き出された光ファイバのうち、切断されることなく分岐接続箱内を通過させられる光ファイバを収納するため、前記ベースの縁部の一方に向かって開口した有底箱状の通過光ファイバ収納部を設けることも可能である。
また、前記光接続部収納トレーは、ベース上に突設されたトレー支持部によって支持されており、前記トレー支持部は、前記ベースと前記光接続部収納トレーとの間に前記光ファイバケーブルの光ファイバが案内されて配線される光ファイバ案内部を有する構成も採用可能である。
【発明の効果】
【０００８】
本発明によれば、分岐側光ケーブルをベースの上下のいずれの分岐光ケーブル固定部にも取り付けることができるので、分岐接続箱を反転させることなく、分岐側光ケーブルを分岐接続箱の上下いずれの方向にも出力することが容易に実現できる。従って、設置場所の都合に応じて分岐側光ケーブルの出力向きを自在に設定でき、設置作業時の労力やコストを低減することができる。
分岐接続箱の向きを反転させる必要がないので、光ケーブルの先端に露出させる光ファイバの長さや、光ファイバの外周に取り付けられる保護チューブの長さを、分岐接続箱の向きに応じて変える必要がなく、作業性に優れ、コスト増を抑制することができる。
【発明を実施するための最良の形態】
【０００９】
以下、本発明を実施するための最良の形態について、図面を参照して説明する。なお、図１〜図４において、図５，図６で用いた符号と同一の符号は、特に断らない場合、図５，図６に示す構成と同一または同様の構成を示し、重複する説明を省略する場合がある。
図１〜図３に示す分岐接続箱１は、壁面等に沿って配設される平板状のベース１０と、幹線側光ファイバケーブル２（幹線光ケーブルと略称する場合がある）が固定される幹線光ケーブル固定部１１と、分岐側光ファイバケーブル３（分岐光ケーブルと略称する場合がある）が固定される分岐光ケーブル固定部１２と、両光ファイバケーブル２，３の先端に露出された光ファイバ２ａ，３ａ同士の光接続部（図示略）を収納する光接続部収納トレー１３と、幹線光ケーブル２の中間部分から引き出された光ファイバ２ａのうち、切断されることなく分岐接続箱１内を通過させられる光ファイバを収納する通過光ファイバ収納部１４と、ベース１０に装着されて前記光ケーブル固定部１１，１２、光接続部収納トレー１３及び通過光ファイバ収納部１４を覆うカバー５とを備える。
【００１０】
幹線光ケーブル２や分岐光ケーブル３として用いられる光ケーブルの種類は、特に限定されるものではないが、ここでは、分岐光ケーブル３としては、例えば、光ファイバ３ａ（例えば単心又は多心の光ファイバ心線やコード）とその両側に配設された抗張力体（図示略）を合成樹脂等からなる外皮３ｂに収納したインドアケーブルが用いられている。
幹線光ケーブル２としては、上記のようなインドアケーブルや、光ファイバ２ａ（例えば光ファイバテープ心線）を収納したスロット２ｂの中心軸に沿ってテンションメンバ２ｃが延設され、スロット２ｂの外周に合成樹脂等からなるシース２ｄが設けられたスロットケーブルなどを用いることができる。
【００１１】
ベース１０は、鋼板等、充分な剛性を有する平面視長方形板状の部材である。
図１に示すように、幹線光ケーブル固定部１１及び分岐光ケーブル固定部１２は、いずれも前記ベース１０の互いに対向する両縁部１０ａ，１０ｂにそれぞれ設けられている。
また、光接続部収納トレー１３は、ベース１０両側の分岐光ケーブル固定部１２，１２同士の中間に配設されており、通過光ファイバ収納部１４は、ベース１０両側の幹線光ケーブル固定部１１，１１同士の中間に配設されている。
【００１２】
幹線光ケーブル固定部１１は、幹線光ケーブル２をシース２ｄの上から把持して固定するケーブル把持具１１ａ，１１ｂと、スロット２ｂよりも長く残されたテンションメンバ２ｃを固定するテンションメンバ固定具１１ｃ，１１ｄとを備える。
ここで、ベース１０上下のそれぞれ幹線光ケーブル固定部１１は、比較的大径の幹線光ケーブル２Ａを固定するためのケーブル把持具１１ａ及びテンションメンバ固定具１１ｃが複数組（ここでは２組）と、比較的小径の幹線光ケーブル２Ｂを固定するためのケーブル把持具１１ｂ及びテンションメンバ固定具１１ｄが複数組（ここでは２組）とを有して構成されている。ケーブル把持具１１ａ及びテンションメンバ固定具１１ｃが適用される幹線光ケーブル２Ａは、心数が例えば２００心、直径２３ｍｍ程度のものである。また、ケーブル把持具１１ｂ及びテンションメンバ固定具１１ｄが適用される幹線光ケーブル２Ｂは、心数が例えば１００心以下のものである。
【００１３】
図４にケーブル把持具１１ａの拡大図を示す。図４に示すように、このケーブル把持具１１ａは、略半円状の一対の把持金具２１が凹側同士対向された状態で把持金具２１両端の鍔部に挿通された固定ネジ２２によって台２３上に締結されたものであり、それぞれの把持金具２１の凹側の内面には先のとがった突起２４が複数突設されたものである。このため、光ケーブル２Ａを一対の把持金具２１の間に挟みこんで固定ネジ２２を締め付けることにより、突起２４が光ケーブル２Ａのシース２ｄに食い込み、比較的大径の光ケーブルであっても、ズレ落ちることなく確実に固定することができる。
【００１４】
分岐光ケーブル固定部１２は、ベース１０に形成された透孔１２ａの縁部およびベース１０に溶接等によって両端が固着された門形のブラケット１２ｂの縁部に形成された正面視Ｔ字形のケーブル支持片１２ｃを有する。このような分岐ケーブル固定部１２では、各分岐光ケーブル３をケーブル支持片１２ｃに沿わせ、分岐光ケーブル３とケーブル支持片１２ｃをクリップ等のケーブル固定具１２ｄによってクランプすることにより、各分岐光ケーブル３を把持固定できるようになっている。
【００１５】
図１，図２（ｂ）に示すように、光接続部収納トレー１３は、ベース１０上に突設されたトレー支持部１５によって複数枚が積層した状態で支持されており、各トレー１３に設けられた連結ヒンジ１３ｃを介して相対的に回動可能に連結されている。各トレー１３は、例えば留めネジやラッチなどによって着脱可能に相互に固定されている。さらに、トレー支持部１５の若干下方には、開いたトレー１３が突き当たるような位置にトレイ受けステー１６が突設されている。光接続部収納トレー１３には、光ファイバ２ａ，３ａの光接続部（図５の符号４参照）が収納されるようになっている。
これにより、図２（ｂ）中、二点鎖線で示したように、作業時にトレー１３の間を開いて、光ファイバ同士の接続部や光ファイバの余長の収納及び取り出しを作業性良く行うことができる。
【００１６】
図２（ｂ）に示すように、トレー支持部１５は、積層された光接続部収納トレー１３のうち最もベース１０側に位置するトレー１３の裏面が固定されるトレー固定板１５ａと、このトレー固定板１５ａをベース１０と連結する連結基部１５ｂとを有して構成されている。トレー固定板１５ａは、連結基部１５ｂの上面（ベース１０の上側の縁部１０ｂに向かう面）よりも上方に延びており、連結基部１５ｂ上には、ベース１０の上側のケーブル固定部１１，１２に固定された光ケーブル２，３の光ファイバ２ａ，３ａを沿わせて配線することができるようになっている。つまり、連結基部１５ｂは、上述の光ケーブル２，３の光ファイバ２ａ，３ａが案内されて配線される光ファイバ案内部となっている。
【００１７】
図２（ａ）に示すように、通過光ファイバ収納部１４は、複数（ここでは２個）の有底の収納箱１４ａをベース１０から突設されたホルダ１４ｂによって保持した構成になっている。収納箱１４ａは、上記ベース１０の他方の縁部１０ｂに向かって開口する向きに配置されている。収納箱１４ａは、プラスチックのシート等から形成することができる。
この実施例では、それぞれの収納箱１４ａは、１００心の光ファイバ２ａを収容することができる大きさになっている。
幹線光ケーブル固定部１１に例えば１００心の幹線光ケーブル２Ｂを２条固定した場合には、幹線光ケーブル２Ｂの光ファイバ２ａをケーブルごとに分けて収納することができる。また、幹線光ケーブル固定部１１に２００心の幹線光ケーブル２Ａを固定した場合には、各収納箱１４ａに光ファイバ２ａを約１００心ずつ分けて収納することができる。
【００１８】
ベース１０の面上には、ベース１０上に配線される光ファイバ２ａ，３ａを保持するための光ファイバ保持具１７が適宜の位置に配設されている。
さらに、ベース１０の左右には、ベース１０上に配線される光ファイバ２ａ，３ａを保護するための保護シート１８，１８（プラスチックシートなど）が貼着されている。
【００１９】
図３に示すように、カバー５は、幹線光ケーブル固定部１１及び分岐光ケーブル固定部１２に対応する位置（図３にはカバー５の上面を示すが、下面も同様である）に、幹線光ケーブル２が挿通される幹線光ケーブル挿通口６及び分岐光ケーブル３が挿通される分岐光ケーブル挿通口７が開口されている。幹線光ケーブル挿通口６及び分岐光ケーブル挿通口７の周縁には、のれん状に形成された可撓性を有する保護部材８が貼付されており、前記光ケーブル挿通口６，７は保護部材８によって覆われ、塞がれている。
【００２０】
保護部材８は、スリット８ａ間に形成された舌片８ｂを屈曲させることにより、光ケーブル２，３を挿入する隙間を光ケーブル２，３の一条ずつに対応して確保することができるようになっている。これにより、光ケーブル挿通口６，７の空いた隙間から埃等の異物が分岐接続箱１内に侵入することを抑制することができる。保護部材８はスポンジやゴム等の弾性部材から構成することができるが、スポンジを用いた場合、さらに通気性を確保することもできる。
【００２１】
図３に示すように、カバー５の上面には、ベース１０の上縁部１０ｂに設けられたフック１９（図１，図２（ａ）参照）の先端が挿入される長穴５ａが穿設されている。カバー５は、フック１９をカバー５の長穴５ａに挿通させておくことにより、ベース１０に装着することができる。さらに、この分岐接続箱１には、回転式の錠９が設けられており、錠９をロックした状態では、カバー５をベース１０のフック１９から容易に取り外すことができないようになっている。
【００２２】
以下、本形態例の分岐接続箱１を用いて幹線光ケーブルと分岐光ケーブルとの分岐接続を行う手順の一例を示す。
幹線光ケーブル２は、その長手方向の中間部分において光ファイバ２ａを残して両断し、中間部分のシースやスロット等を除去する。両断された幹線光ケーブル２の各端部は、それぞれ幹線光ケーブル固定部１１に固定する。
分岐光ケーブル３は、先端部分の外被等を除去して光ファイバ３ａを露出させ、分岐光ケーブル固定部１２に固定する。
【００２３】
分岐光ケーブル３との接続が必要な光回線の光ファイバ２ａは切断して分岐光ケーブル３の光ファイバ３ａと接続し、得られた光接続部は、光ファイバ２ａ，３ａの余長とともに光接続部収納トレー１３に収納する。また、光ケーブル２，３の光ファイバ２ａ，３ａは、それぞれベース１０上に配線する。
光接続部収納トレー１３には、幹線光ケーブル２の光ファイバ２ａ，２ａ同士を光接続した光接続部の収納にも使用することができる。例えば、分岐光ケーブル３への分岐が不要な幹線光ケーブル２の光ファイバ２ａを再度接続するために利用することができる。
【００２４】
本形態例の分岐接続箱によれば、分岐側光ケーブルをベースの上下のいずれの分岐光ケーブル固定部にも取り付けることができるので、分岐接続箱を反転させることなく、分岐側光ケーブルを分岐接続箱の上下いずれの方向にも出力することを容易に実現することができる。従って、設置場所の都合に応じて分岐側光ケーブルの出力向きを自在に設定でき、設置作業時の労力やコストを低減することができる。
【００２５】
分岐接続箱の向きを反転させる必要がないので、光ケーブルの先端に露出させる光ファイバの長さや、光ファイバの外周に取り付けられる保護チューブの長さを、分岐接続箱の向きに応じて変える必要がなく、作業性に優れ、コスト増を抑制することができる。
また、必要に応じて、分岐側光ケーブルをベースの上下の分岐光ケーブル固定部の両方に固定して、一部の分岐側光ケーブルは分岐接続箱の下方に布設し、残りの分岐側光ケーブルは分岐接続箱の上方に布設するなどの対応が可能となる。また、分岐光ケーブル固定部に固定できる分岐側光ケーブルの本数を増大させることができる。
【００２６】
以上、本発明を最良の形態に基づいて説明してきたが、本発明は上述の最良の形態に限定されるものではなく、本発明の要旨を逸脱しない範囲で種々の改変が可能である。
例えば、光接続部収納トレーや通過光ファイバ収納部などの構成は、特に限定されるものではない。
【産業上の利用可能性】
【００２７】
本発明は、例えばビル等の構内に布設された光ファイバケーブルを分岐接続するために利用することができる。
【図面の簡単な説明】
【００２８】
【図１】本発明の分岐接続箱の一例を示す内観正面図である。
【図２】図１の分岐接続箱の内観側面図であり、（ａ）は左側面図、（ｂ）は右側面図である。
【図３】図１の分岐接続箱の外観斜視図である。
【図４】図１の分岐接続箱のケーブル把持具の一例を示す拡大図である。
【図５】従来の分岐接続箱の一例を示す概略構成図である。
【図６】図５の分岐接続箱を上下反転して設置した状態を示す概略構成図である。
【符号の説明】
【００２９】
１…分岐接続箱、２…幹線側光ファイバケーブル（幹線光ケーブル）、２ａ…光ファイバ、３…分岐側光ファイバケーブル（分岐光ケーブル）、３ａ…光ファイバ、１０…ベース、１０ａ，１０ｂ…ベースの縁部、１１…幹線光ケーブル固定部、１２…分岐光ケーブル固定部、１３…接続部収納トレー、１４…通過光ファイバ収納部、１５…トレー支持部、１５ｂ…光ファイバ案内部（連結基部）。
【図１】
2005312125.tif 000003
【図２】
2005312125.tif 000004
【図３】
2005312125.tif 000005
【図４】
2005312125.tif 000006
【図５】
2005312125.tif 000007
【図６】
2005312125.tif 000008